(57)【特許請求の範囲】
【請求項１】
軸のチモト部の横断面形状が、フトコロに面した軸の内側を長辺とし、外側を短辺とした略台形状で、前記長辺と前記短辺を結ぶ斜辺で構成される面に、軸の長さ方向に複数の凹みを配設したことを特徴とする釣針
【発明の詳細な説明】
【０００１】
【発明の属する技術分野】
この発明は釣針に関するもので、鮎の友釣りに使用する鮎掛け針のほかダンゴ針やエサ釣り用針にも適用することができる。
【０００２】
【従来の技術】
釣針は一般に軸、フトコロ、針先からなる。軸は横断面が円形のものが普通であり、チモトと称する軸の端部を先端を扁平につぶしてある。チモトはハリスを結び付ける部分であることから、扁平につぶした部分でハリスの抜け止めをするのである。また、ギザと呼ばれる軸の長手方向と交差する凹凸を形成してハリス止めを図ることもある。
【０００３】
鮎針のチモトは、ストレートか先細かは別として、通常は円形断面のままになっていものが多い。そして、３本又は４本の釣針を錨状に組んで使用する場合、ハリスの回りに総ての針の軸を揃えて巻き糸で巻き締め、接着剤を垂らして固定する。このとき、ハリスの抜け止めを図ってチモトのハリスと接する面に凹凸を付けたり、巻き糸がずれるのを防止するため巻き糸と接する面に凹凸を付けたものもある。これらの凹凸は既述のとおりギザと呼ばれ、片面にだけ設けたものや、両面に設けたもの、さらに、ねじのように全周にわたって凹凸を形成したものなど種々知られている。
【０００４】
【発明が解決しようとする課題】
錨型に組んだ鮎掛け針は型くずれが問題となる。型くずれがバレの原因となり、釣果に大きく影響するからである。例えば３本錨の場合、隣り合った釣針同士が約１２０度開いた状態が理想的であるが、繰り返し使用している間にこの錨の型がくずれるのである。とくに丸い軸の場合には軸を中心にして針先が自在に振れ得るため型くずれを起こしやすい。
【０００５】
そこで、この発明の主要な目的は、錨型に組んで使用する場合でも型くずれしにくい釣針を提供することにある。
【０００６】
【課題を解決するための手段】
この発明の釣針は、軸のチモト部の横断面形状が、フトコロに面した軸の内側を長辺とし、外側を短辺とした略台形状で、前記長辺と前記短辺を結ぶ斜辺で構成される面に、軸の長さ方向に複数の凹みを配設したことを特徴とするものである。このような構成を採用することにより、錨型に組んだとき、隣り合った釣針の軸のチモト部同士が面で接し、なおかつ接着剤等での固定が容易となるため、相互に針先の振れを阻止し合い、全体として所期の錨型を強固に保持する。
【００１４】
なお、チモト部の内側面および外側面にハリス止めや巻き糸止めとなるギザを設けることも可能である。
【００１５】
【発明の実施の形態】
図１に鮎の友釣りに用いる錨型の鮎掛け針（１）を示す。この鮎掛け針（１）は４本の釣針（１０）を図示するように錨型に組んだもので、ハリス（２）に添えて巻き糸（３）で巻き締め、ハリス（２）の回りに約９０度間隔に広げた状態で接着剤を垂らして固定する。巻き糸（３）で巻いたチモト部分の横断面を示す図１（Ｂ）から分かるように、各釣針（１０）のチモト部の横断面形状は多角形である。なお、図１（Ｂ）では巻き糸（３）を省略してある。
【００１６】
より具体的に述べると、図２に示すように、各釣針（１０）は、軸（１２）、フトコロ部（１３）、針先（１１）からなる。チモト部（１３）の横断面形状は略台形であり、フトコロ（１３’）に面する長辺（１５）と、反フトコロ側の短辺（１６）と、短辺（１６）の両端から所定の開き角にて長辺側に向かって伸びた斜辺（１７）と、斜辺（１７）と長辺（１５）を接続する接続辺（１８）とで画成されている。長辺（１５）はフトコロ（１３’）に面した軸（１２）の内側面を構成し、錨型に組んだとき巻き糸（３）と接する。短辺（１６）は反フトコロ側すなわち軸の外側面を構成し、錨型に組んだときハリス（２）と接する。斜辺（１７）は複数の釣針（１０）を図１（Ａ）に示すような錨型に組んだとき隣り合った釣針間で互いに向かい合う（図１（Ｂ）参照）。このように、隣り合った釣針（１０）同士が面と面で接するため、相互に位置ずれや針先（１１）の振れを阻止する作用が得られ、錨型に組んだ場合の型くずれが起こりにくくなるのである。
【００１７】
上述の作用は、図２（Ｂ）（Ｃ）に示すように、斜辺（１７）が構成する面に、軸（１２）の長手方向に等間隔で複数の凹み（１９）を配設することによって一層助長される。凹み（１９）の加工は、たとえばプレスによる型成形により行うことができる。そして、その凹み（１９）の加工に伴い、軸（１２）の側面（１８）の凹み（１９）に対応する位置に膨らみ（２０）が生じ、その結果、側面（１８）に軸（１２）の長手方向に交互の凹凸が形成される。複数の釣針（１０）を錨型に組んだとき（図１参照）、隣り合った釣針（１０）の側面（１８）同士が凹凸を介して指組状に契合し、巻き糸（３）で巻き締められた状態で所期の錨型を強固に保持することができる。
【００１８】
図１（Ｂ）、図２（Ｂ）（Ｃ）は軸の断面形状を若干誇張して模式的に図示したものであるが、実施に際しては、多角形状の断面の各辺が丸みを帯びて全体として円形に近い形状としてもよい。図３はそのような断面形状を有する軸のチモト部の外観を示す。図３（Ａ）は反フトコロ側から見たチモト部（１４）を示し、錨型に組んだときハリス（２）と接する軸の外側面（１５）が軸（１２）の中央部を長手方向に延びている。その面の両側に、長手方向に不連続の複数の凹み（１９）を配設してある。このようなチモト部（１４）を備えた釣針（１０）を錨型に組むと、隣り合った釣針（１０）のチモト部（１４）同士が、一方の釣針のチモト部の凹み（１９）と他方の釣針のチモト部の凹み（１９）間のランド部とが嵌まり合うことによっていわゆる指組状に係合し、がっちりと結合する。これにより、型くずれしにくい錨型が構成される。図３（Ｂ）に示すようにフトコロ（１３’）に面する内側面（１６）には長手方向に不連続の凹凸（ギザ）が形成されている。
【００１９】
上に述べた以外に、凹み（１９）を設けることによって次のような効果も期待できる。すなわち、釣針（１０）の内面側面に加工した場合、ダンゴ針用針の場合にはダンゴの針からの落ちを防止することができ、エサ針用針の場合には針からエサがずり下がるのを防止することができる。また、軸（１２）の外面側面に凹み（１９）を配設すると釣針（１０）の強度が一段と強くなる。
【００２０】
【発明の効果】
以上説明したように、この発明の釣針は、軸のチモト部の横断面形状が、フトコロに面した軸の内側を長辺とし、外側を短辺とした略台形状で、前記長辺と前記短辺を結ぶ斜辺で構成される面に、軸の長さ方向に複数の凹みを配設したものであるため、錨型に組んだとき、隣り合った釣針の軸のチモト部同士が面で接することになって、相互に針先の振れを阻止し合い、型くずれを防止する。また、上記面間に接着剤が進入しやすく、大きな接着面が確保できる。
【００２２】
また、錨型に組んで使用する場合に限らず、単独で使用する場合でも、凹み加工を施すことによって針の強度が向上するほか、ダンゴの落ちを少なくしたり、エサのずり落ちを抑制するなどの効果が得られるものである。
【図面の簡単な説明】
【図１】（Ａ）は４本錨型の鮎掛け針の斜視図、（Ｂ）はチモト部の拡大横断面図である。
【図２】（Ａ）は釣針の正面図、（Ｂ）はチモト部の拡大横断面図、（Ｃ）はチモト部の拡大斜視図である。
【図３】（Ａ）は軸の外側面の正面図、（Ｂ）は軸の内側面の正面図、（Ｃ）は軸の側面図である。
【図４】別の実施の形態を示す釣針の略図である。
【符号の説明】
１  鮎掛け針（４本錨型）
２  ハリス
３  巻き糸
１０  釣針
１１  針先
１２  軸
１３  フトコロ部
１４  チモト部
１５  長辺（外側面）
１６  短辺（内側面）
１７  斜辺（斜面）
１８  接続辺（側面）
１９  凹み
２０  膨らみ
【図１】
0003779460.tif 000002
【図２】
0003779460.tif 000003
【図３】
0003779460.tif 000004
【図４】
0003779460.tif 000005